(57)【要約】【課題】トレイの進退動作時にトレイの不要な振動が生じることなく、安定した動作を実現する。【解決手段】ディスクトレイ装置は、光ディスクを搬送する図示しないトレイと、そのトレイが取り付けられるベースシャーシ１を有している。シフター８は、トレイに係合し、トレイの進退動作に応じて図（Ａ）の位置と図（Ｂ）の位置との間で変位するように構成されている。また、メインシャーシ６は、シフター８に係合し、シフター８の変位動作に応じて昇降する。上記の構成により、トレイが進退動作を行っているときは、シフター８は図（Ａ）の位置にある。ここで、シフター８とメインシャーシ１との間でシフター８を付勢する弾性部材９が備えられる。この弾性部材９の作用により、シフター８がトレイを押圧することによって、トレイの進退動作時におけるトレイの振動を抑制することができる。【選択図】図５
2006164413.tif 000002
【特許請求の範囲】
【請求項１】
光ディスクを搬送するトレイと、該トレイが取り付けられるベースシャーシと、該ベースシャーシ内部で該トレイが進退するように駆動するトレイ駆動機構と、前記トレイに係合し、前記トレイ駆動機構によって駆動される前記トレイの進退動作に応じて変位するように構成されたシフターと、該シフターに係合し、該シフターの変位動作に応じて昇降するように構成されたメインシャーシとを備え、該メインシャーシ上に設けられたターンテーブルを用いて前記トレイによって搬送された光ディスクをチャッキングするように構成されたディスクトレイ装置であって、前記シフターは、前記トレイがチャッキングされるときの第１の位置と、前記トレイが進退動作するときの第２の位置との間で変位し、該ディスクトレイ装置は、前記シフターが前記第１の位置をとったときに、前記シフターと前記ベースシャーシとの間で前記シフターを前記第２の位置方向に付勢する弾性部材を有し、該弾性部材の作用により、前記シフターが前記トレイを前記第２の位置方向に押圧することによって、前記トレイの進退動作時における該トレイの振動を抑制することを特徴とするディスクトレイ装置。
【請求項２】
請求項１に記載のディスクトレイ装置において、前記シフターは、前記トレイとの係合部を構成するための突起部を有し、該トレイは、該トレイの光ディスクの設置面の反対側に、前記突起部に係合するシフターガイド用溝部を有し、該シフターガイド用溝部は、前記トレイが進退動作を行うときに、前記シフターの突起部を誘導して、前記第１の位置と前記第２の位置との間で前記シフターを変位させるように構成されていることを特徴とするディスクトレイ装置。
【請求項３】
請求項２に記載のディスクトレイ装置において、前記シフターによる前記トレイの押圧は、前記シフターの突起部により前記シフターガイド用溝部の一方の壁面を押圧することにより実行されることを特徴とするディスクトレイ装置。
【請求項４】
請求項１ないし３のいずれか１に記載のディスクトレイ装置において、前記弾性部材は、前記シフターを付勢する位置で、前記ベースシャーシの内壁面に備えられていることを特徴とするディスクトレイ装置。
【請求項５】
請求項１ないし３のいずれか１に記載のディスクトレイ装置において、前記弾性部材は、前記シフターを付勢する位置で、前記シフターの側面に備えられていることを特徴とするディスクトレイ装置。
【請求項６】
請求項１ないし５のいずれか１に記載のディスクトレイ装置において、前記弾性部材として樹脂製の発泡体を用いることを特徴とするディスクトレイ装置。
【請求項７】
請求項１ないし６のいずれか１に記載のディスクトレイ装置を備え、該ディスクトレイ装置により搬送される光ディスクに対する情報の記録と、該光ディスクに記録された情報の再生を行うことを特徴とする記録再生装置。
【発明の詳細な説明】
【技術分野】
【０００１】
本発明は、ディスクトレイ装置及び該ディスクトレイ装置を備える記録再生装置に関し、より詳細には、ディスク型記録媒体である光ディスクを搬送して、光ディスクへの情報の書き込みや情報の読み出しを行うようにしたディスクトレイ装置と、そのディスクトレイ装置を備えた記録再生装置に関する。
【背景技術】
【０００２】
ＣＤやＤＶＤなどの光を用いて情報記録／再生を行う光ディスクが普及している。また、大容量光ディスクとしてＢＤ（blu-ray disk）及びＨＤ  ＤＶＤ（High Definition ＤＶＤ）が市場に登場し、今後普及すると考えられている。このような光ディスクに情報を書き込んだり、情報を読み出したりする装置として、ディスクトレイ装置が供されている。ディスクトレイ装置は、光ディスクをセットするトレイを有し、そのトレイに光ディスクをセットして装置本体（ベースシャーシ）に対して進退動作をさせることで、光ディスクに対する情報記録／再生が可能となる。
【０００３】
上述のようなディスクトレイ装置において、トレイが装置内部から前方にイジェクトされた位置で光ディスクがトレイ上にセットされる。そしてトレイが装置内部へローディングされると、その所定位置で光ディスクがチャッキングされる。このチャッキングに際しては、光ディスクを保持して回転させるターンテーブルの中央に形成された凸部が、光ディスク中央の孔部に挿入され、同時に光ディスク上面側からクランパーが接近し、このクランパーによって光ディスクがターンテーブル上にチャッキングされる。チャッキング位置では、ディスクトレイ装置が備える光ピックアップにより、光ディスクに対する情報の書き込みや、光ディスクからの情報の読み出しを行うことができる。また光ディスクを取り出すときには、上記のクランパーとターンテーブルを光ディスクから離脱させて、トレイを前方に引き出す。
【０００４】
上記のようなディスクトレイ装置において、トレイの振動を防止する技術が開示されている。例えば、特許文献１では、ケーシング（ベースシャーシに該当）に挿入されるトレイの後端部と、ケーシングの奥側の内壁部に、これらトレイの後端部とケーシング内壁部とが係合する係合部を設け、トレイがケーシング内にローディングされたときに、これら係合部が互い係合することにより、ディスクトレイの後端の振動を防止する構成が開示されている。
【特許文献１】特開２００１−２２８４９号公報
【発明の開示】
【発明が解決しようとする課題】
【０００５】
上記のようなトレイを搬送するディスクトレイ装置では、ベースシャーシの両側内壁面に設けられたレール溝に沿って、トレイが進退動作を行うように構成されている。このときに、レール溝におけるベースシャーシの内壁面と、トレイの側面との間には所定の間隔（所謂アソビ）が設定されている。すなわち、トレイの進退動作を円滑に行うためには、ベースシャーシ内壁面とトレイ側面とが常に接触した状態で摺動しながら進退することは、負荷を高めるために好ましくなく、これらの間である程度の適切な余裕を持たせた上で、トレイを進退させることが好ましい。
【０００６】
この場合、上記のトレイとベースシャーシとの間隔があるために、トレイが進退動作を行っているときにトレイの振動が生じる。
トレイの動作時の振動は、実用上はそれほど問題が生じないが、振動がなく静かにトレイを動作させることにより、ディスクトレイ装置に高級感を持たせることができ、その商品価値を高めて差別化を図ることができる、という効果を得ることができる。
【０００７】
上記特許文献１では、トレイがケーシング内にローディングされたときに、トレイの後端の振動を回避する構成が開示されているものの、上記のようなトレイの進退動作時の振動を抑制するための構成については、開示されていない。
【０００８】
本発明は、上述のごとき実情に鑑みてなされたもので、光ディスクを搬送するトレイが進退動作を行うディスクトレイ装置において、トレイの進退動作時にトレイの不要な振動が生じることなく、安定した動作が実現されるディスクトレイ装置、及び該ディスクトレイ装置を備えた記録再生装置を提供することを目的とする。
【課題を解決するための手段】
【０００９】
上記課題を解決するために、第１の技術手段は、光ディスクを搬送するトレイと、トレイが取り付けられるベースシャーシと、ベースシャーシ内部でトレイが進退するように駆動するトレイ駆動機構と、トレイに係合し、トレイ駆動機構によって駆動されるトレイの進退動作に応じて変位するように構成されたシフターと、シフターに係合し、シフターの変位動作に応じて昇降するように構成されたメインシャーシとを備え、メインシャーシ上に設けられたターンテーブルを用いてトレイによって搬送された光ディスクをチャッキングするように構成されたディスクトレイ装置であって、シフターは、トレイがチャッキングされるときの第１の位置と、トレイが進退動作するときの第２の位置との間で変位し、ディスクトレイ装置は、シフターが第１の位置をとったときに、シフターとベースシャーシとの間でシフターを第２の位置方向に付勢する弾性部材を有し、弾性部材の作用により、シフターがトレイを第２の位置方向に押圧することによって、トレイの進退動作時におけるトレイの振動を抑制することを特徴としたものである。
【００１０】
第２の技術手段は、第１の技術手段において、上記シフターが、トレイとの係合部を構成するための突起部を有し、トレイは、トレイの光ディスクの設置面の反対側に、突起部に係合するシフターガイド用溝部を有し、シフターガイド用溝部は、トレイが進退動作を行うときに、シフターの突起部を誘導して、第１の位置と第２の位置との間でシフターを変位させるように構成されていることを特徴としたものである。
【００１１】
第３の技術手段は、第２の技術手段において、シフターによるトレイの押圧が、シフターの突起部によりシフターガイド用溝部の一方の壁面を押圧することにより実行されることを特徴としたものである。
【００１２】
第４の技術手段は、第１ないし第３のいずれか１の技術手段において、上記弾性部材が、シフターを付勢する位置で、ベースシャーシの内壁面に備えられていることを特徴としたものである。
【００１３】
第５の技術手段は、第１ないし第３のいずれか１の技術手段において、上記弾性部材が、シフターを付勢する位置で、シフターの側面に備えられていることを特徴としたものである。
【００１４】
第６の技術手段は、第１ないし第５のいずれか１の技術手段において、弾性部材として樹脂製の発泡体を用いることを特徴としたものである。
【００１５】
第７の技術手段は、第１ないし第６のいずれか１の技術手段におけるディスクトレイ装置を備え、ディスクトレイ装置により搬送される光ディスクに対する情報の記録と、光ディスクに記録された情報の再生を行うことを特徴としたものである。
【発明の効果】
【００１６】
本発明によれば、光ディスクを搬送するトレイが進退動作を行うディスクトレイ装置において、トレイの進退動作時にトレイの不要な振動が生じることなく、安定した動作が実現されるディスクトレイ装置、及び該ディスクトレイ装置を備えた記録再生装置を提供することができる。
【発明を実施するための最良の形態】
【００１７】
以下に本発明のディスクトレイ装置の実施形態を添付された図面を参照しながら具体的に説明する。なお、実施形態を説明するための全図において、同様の機能を有する部分には同じ符号を付けその繰り返しの説明は省略する。
図１は、本発明のディスクトレイ装置の構成例を示す斜視概略図である。図１において、１はベースシャーシ、２は光ディスクを保持して回転させるターンテーブル、３はターンテーブルの回転を制御するスピンドルモータ、４は光ディスクの記録再生層に光スポットを形成して、データの書き込み及び読み出しを行う光ピックアップ、５はブルーレイディスク等のカートリッジを開閉させるためのシャッター開閉機構、８は後述するトラバースシャーシを昇降させるためのシフター、８ａはシフター８に設けられた突起部、８ｂはシフター８に設けられた爪部、１ａはシフターの突起部８ａに係合するようにベースシャーシに設けられた溝部である。
【００１８】
さらに図１において、１０は光ディスクを搬送するためのトレイ、１１は光ディスクを押さえるための第１の押さえレバー、１２は同じく光ディスクを押さえるための第２の押さえレバー、１３は縦置き時にベアディスクを保持するためのディスクホルダー、１４はトレイの移動に応じてクランパー（図示せず）を変位させるためのトレイカム部である。
また、ディスクトレイ装置の前面側をＦ、奥側（後側）をＢ、前面側から後側をみたときの右側をＲ、前面側から後側をみたときの左側をＬとする。以下の説明及び図面においても同様の符号で方向を表す。
【００１９】
図１は、トレイ１０がメインシャーシ１の内部にローディングされた状態を示している。ベースシャーシ１上に設けられているトレイ搬送機構が動作することにより、矢印Ａ方向にトレイ１０が引き出されて、ユーザが光ディスクをセットすることができる。
そして再びトレイ搬送機構を動作させると、トレイ１０とともに光ディスクがベースシャーシ１の内部にローディングされる。光ディスクを排出するときは、再度トレイ１０を矢印Ａ方向に引き出す。
【００２０】
図２は、光ディスクのカートリッジ４０をトレイ１０に装着してローディングしたときの状態を示す図である。図２の状態では、カートリッジ４０は、シャッター開閉機構５が備えるオープナーの作用によって、カートリッジ背面（ディスク媒体の記録再生面）側のシャッターが開放されている。
【００２１】
図１及び図２のディスクトレイ装置は、上記のようなカートリッジタイプのディスクのみならず、ベアディスクにも対応可能になっている。実際には、図１のベースシャーシ１に対して、図示しないクランパープレートが取り付けられ、クランパープレートに設けられたクランパーが動作することにより、ローディングされたベアディスク、もしくは上面（ディスク媒体のレーベル面）が開放されたカートリッジディスクを、ターンテーブル２との間でクランプ（チャッキング）する。この状態で、光ピックアップ４による光ディスクへのデータの書き込みや光ディスクからのデータの読み込みを行うことができる。すなわち、トレイ１０は、光ディスクを排出可能な排出位置と、光ディスクのチャッキングを行うチャッキング位置との間で光ディスクを搬送するものといえる。
【００２２】
また、光ディスクの前面が非開口のカートリッジタイプを用いる場合は、トレイカム部１４がクランパー動作機構に当接してもクランパーの変位が止められて、カートリッジ内部の光ディスクのチャッキングが阻害されないように構成されている。この場合は、カートリッジに内蔵されているクランパーとターンテーブル２とによって光ディスクがチャッキングされる。
【００２３】
図３及び図４は、トレイの進退動作とそれに伴うメインシャーシの動作を説明するための図で、図３は、トレイのローディング動作の途中で光ディスクのチャッキングが行われていない状態を示す側面概略図、図４は、トレイのローディングが完了して光ディスクがチャッキングされている状態を示す側面概略図である。図３及び４において、６はターンテーブル２が取り付けられたスピンドルモータ３が設置されるメインシャーシ（トラバースシャーシ）、６ａはベースシャーシ側のシフターに係合してメインシャーシの昇降を行うための突起部、７はカートリッジディスクを支持するためのカートリッジステイ、３０は光ディスクをクランプするクランパー、３１はクランパーを動作させるためのクランパーレバー、３２はクランパー及びクランパーレバーを搭載したクランパープレート、３３はクランパーレバーがクランパープレートに対して回動可能に支持されるクランパーレバー支持軸、４０は光ディスク媒体を収容するカートリッジ、４１は光ディスクである。
なお図３及び図４では、光ピックアップ４を搭載し、メインシャーシ６に対してチルト可能に設けられているサブシャーシの図示を省略している。
【００２４】
トレイ１０がベースシャーシ１から引き出されて、カートリッジ４０がトレイ１０にセットされ、トレイ１０が再度ベースシャーシ１の内部に移動するとき、図３に示すように、トレイ１０に設けられているトレイカム部１４が、クランパーレバー３１のトレイ奥側端部に当接する。そしてさらにトレイ１０が進行していき（矢印Ｂ方向）、所定のローディング位置に到達すると、図３に示すようにクランパーレバー３１が、クランパーレバー支持軸３３の周りを回動し、クランパー３０がトレイ１０の方向に変位する。
【００２５】
そして同時に、トレイの移動により図３のようにトレイ１０から離れる方向に離間していたメインシャーシ６が、ローディング完了時には図４に示すようにトレイ１０の方向に変位する。
こうして、図４に示すローディング完了時には、ターンテーブル２とクランパー３０との間で光ディスク４１がクランプされ、チャッキング動作が完了する。
【００２６】
光ディスク４１のチャッキングを解除してトレイ１０を引き出すときには、トレイカム部１４によるクランパーレバー３１への作用が解除され、クランパーレバー３１がばねの付勢力によって元に戻ろうとし、クランパー３０が光ディスク４１から離脱して変位する。また、トレイ１０によってカートリッジ４０を排出するときには、メインシャーシ６がトレイ１０から離脱する方向に変位し、カートリッジ４０の搬送を妨げないようにしている。
【００２７】
上記のメインシャーシ６の昇降動作は、ベースシャーシ１に設けられたシフター８（図１，図２）がトレイ１０の進退動作に従って左右（トレイの進退方向の直交方向）にシフトすることにより制御される。このシフター８の動作は、後述して説明する。
【００２８】
なお、図３及び図４に示す光ディスクは、カートリッジの前面及び背面に開口を有するタイプ、もしくは、前面が開口され背面がシャッター機構により開閉可能なタイプであり、クランパー３０によって光ディスク４１をチャッキングすることができる。このとき、ブルーレイディスクのように背面側（記録再生面側）にシャッター機構を有する場合は、図１に示すシャッター開閉機構５によって、トレイ１０の移動に応じたシャッターの開閉が行われる。
【００２９】
ベアディスクを用いる場合も、上記と同様に、クランパーレバー３１とトラバースシャーシ６の動作によって、クランパー３０によって光ディスク４１のチャッキングを行うことができる。また、前面が非開口のカートリッジタイプを用いる場合は、トレイカム部１４がクランパー動作機構に当接しても、クランパー３０の変位が止められて、光ディスク４１のチャッキングが阻害されないように構成されている。この場合は、カートリッジに内蔵されているクランパーとターンテーブル２とによって光ディスク４１がチャッキングされる。
【００３０】
図３及び図４に示すように、トラバースシャーシ６には、カートリッジディスクを支持するためのカートリッジステイ７が設けられている。カートリッジディスクを用いた場合、メインシャーシ６がトレイ１０の方向に変位して光ディスク４１のチャッキングが行われるとき、カートリッジステイ７の頂部がカートリッジ４０の背面側に当接し、カートリッジ４０が所定位置に位置決めされる。カートリッジステイ７は、トレイ１０に設けられた貫通孔を通して進退する。このとき図３の状態では、トレイ１０の背面側にその頂部が隠れた状態で維持されるが、図４の状態でメインシャーシ６が変位すると、カートリッジステイ７の頂部がその貫通孔を通してトレイ１０の上面側に出てくる。これにより、カートリッジ４０が所定位置で位置決めされる。
【００３１】
次に、上述したメインシャーシ６を昇降させるためのシフター８の動作について説明する。
シフター８は、ベースシャーシ１の前面壁部の内側に取り付けられている。ここで、図１に示すように、シフター８には、突起部８ａと爪部８ｂが一体的に設けられていて、爪部８ｂがベースシャーシ１の前面壁部の上辺部に係合してシフター８を倒れないように保持し、また突起部８ａがベースシャーシの溝部１ａに遊挿されて、溝部１ａに沿って左右（トレイ進退方向の直交方向）に移動に可能に構成されている。このような構成によって、シフター８は、ベースシャーシ１の前面壁部の内側で、左右に移動可能に保持される。
【００３２】
図５は、シフター８の動作について説明するための概略構成図で、ベースシャーシ１に取り付けられたシフター８をベースシャーシ１の内側から見た図を示している。ここでは、トレイ１０の図示を省略する。トレイ１０は、ベースシャーシ１に設けられたレール溝１ｂによってメインシャーシ６の上方で保持され、紙面の垂直方向に進退する。
図５において、図５（Ａ）はトレイの進退動作中もしくはトレイがイジェクト位置に停止したときにメインシャーシ６が下方に変位した状態を示す図で、図５（Ｂ）はトレイがローディングされメインシャーシ６がチャッキングのために上方に変位した状態を示す図である。
シフター８には、メインシャーシ６を昇降させるためのガイド用の溝部８ｃが設けられている。この溝部８ｃには、メインシャーシの前側端部に設けられた突起部６ａが係合している（図３，図４参照）。
【００３３】
シフター８は、トレイ１０の進退動作（ローディング／イジェクト動作）に応じて、矢印Ｍ方向（トレイの進退方向に直交する方向）に移動する。この移動機構については、後述して説明する。
すなわち、図５（Ａ）の状態では、シフター８がベースシャーシ１の右側Ｒ方向に変位し、シフター８に設けられた溝部８ｃの形状に従って、メインシャーシ６の突起部６ａが下方に位置する。これにより、トレイ１０の進退動作を妨げないようにメインシャーシ６がトレイ１０の下方に変位した状態を維持する。
【００３４】
また、図５（Ｂ）のチャッキング位置では、シフター８がベースシャーシ１の左側Ｌ方向に変位する。ここでは、シフター８に設けられた溝部８ｃの形状に従って、メインシャーシ６の突起部６ａが上方に位置する。これにより、トレイ１０にセットされた光ディスクをチャッキングできるように、メインシャーシ６がトレイ１０上方に変位した状態を維持する。
【００３５】
次にトレイ１０の進退動作に伴ってシフター８の位置制御を行うための構成について説明する。図６は、トレイ１０の背面側の概略構成を示す図で、図中、１０ａはシフターガイド用溝部、１０ｂはギア部である。
ベースシャーシ１には、図示しないトレイ搬送機構が設けられている。トレイ搬送機構は、ディスクトレイ装置あるいはディスクトレイ装置を備える記録再生装置等に対するユーザ入力に従って動作する。ここでは、ユーザ入力に従うローディング動作またはイジェクト動作に応じて、トレイ搬送機構が備えるギアを回動させる。
【００３６】
トレイ１０背面に備えられたギア部１０ｂは、上記トレイ搬送機構のギアに係合している。そして、トレイ搬送機構のギアが回動したときに、その回動動作に従ってトレイ１０がベースシャーシ１内で進退動作を行う。
【００３７】
また、トレイ１０の背面に設けられたシフターガイド用溝部１０ａには、シフター８の突起部８ｄが係合している。このシフターガイド用溝部１０ａは、後側Ｂから前側Ｆに向かって直線状に進み、ほぼ前側Ｆの端部に近くなる部分で急激に左側Ｌに向かって曲げられている。
【００３８】
すなわち、イジェクトされた状態のトレイ１０がローディングされるとき、光ディスクのチャッキング位置のほぼ直前までは、シフター８は図５（Ａ）の位置に維持される。そして、ローディングがほぼ完了し、トレイ１０が光ディスクのチャッキング位置に到達する際に、シフター８が左側Ｌの方向にシフトする。チャッキング位置のトレイ１０がイジェクトされる際には、上記の逆の動作が行われる。
こうして、トレイ搬送機構によって進退動作を行うトレイ１０の作用によって、シフター８が左右に変位し、これによってターンテーブル２を備えたメインシャーシ６の昇降が制御される。
【００３９】
本実施形態の特徴は、図５に示すように、シフター８とベースシャーシ１の側壁の内壁面との間に弾性部材９を配したことにある。ここでは、上記図５（Ａ）の状態、すなわちトレイ１０が進退動作を行っているとき及びトレイ１０がイジェクトされた停止しているときに、弾性部材９がシフター８を左側Ｌの方向に若干押し戻すように構成される。
【００４０】
図７は、トレイ１０のシフターガイド用溝部１０ａとシフター８の突起部８ｄとの関係を、模式的に説明するための要部拡大概略図である。
シフター８が図５（Ａ）の位置にあるとき、弾性部材９の作用によって、シフター８が左側Ｌの方向に押し戻される。このときに、トレイ１０のシフターガイド用溝部１０ａを構成する凸部１０ｃの一方（左側Ｌ）に、シフター８の突起部８ｄが接触し、この突起部８ｄが上記凸部１０ｃに対して摺動しながら、トレイ１０の進退動作が行われる。
【００４１】
実際に、シフター８の突起部８ｄは、トレイ１０のシフターガイド用溝部１０ａの溝幅よりも小さい径を有している。ここで、上記弾性部材９の作用によって、シフター８の突起部８ｄを、シフターガイド用溝部１０ａの一方の凸部１０ｃに押しつけるようにする。これにより、トレイ１０が進退動作をする際に、上記シフター８の突起８ｄとシフトガイド用溝部１０ａの凸部１０ｃとの摺動部によって、トレイ１０の振動が抑制される。
【００４２】
上記のように、シフター８の突起部８ｄは、シフトガイド用溝部１０ａの凸部１０ｃに押しつけられて摺動しながら動作するが、シフター８を付勢する弾性部材９は、このシフター８の突起部８ｄがトレイ１０に対して軽く接触して過度の負荷を与えることなく、かつトレイ１０の振動を抑制できるように、適正な寸法と物性を備えるように構成される。
【００４３】
上記の弾性部材９としては、樹脂製の弾性体、例えば、ウレタンやシリコン、あるいはゴム系のエラストマー、あるいはこれらの発泡体等を使用することができる。例えば、マイクロセル構造をもったウレタンフォームなどを好適に使用することができる。
また、樹脂製の弾性体のみならず、コイルバネや板バネを適用してもよい。
【００４４】
弾性部材９は、基本的にシフター８とベースシャーシ１の内壁面との間に設けられ、トレイ１０が進退動作をするとき、及びトレイ１０がイジェクト位置で停止しているときには、シフター８をベースシャーシ１の側壁内面と反対方向に付勢するように構成される。
ここで、弾性部材９の設置位置は、上記実施形態のように、ベースシャーシ１の内壁面のみならず、シフター８の側面に設置してもよい。
【００４５】
本実施形態のように、シフター８とベースシャーシ１の内壁面との間に弾性部材９を設置する構成は、シフター８の変位ストロークが大きいために、その弾性部材９の設置スペースに余裕があり、スペースの制約を大きく受けることなく、最適な特性をもった弾性部材９を適宜設計して設置することができる、という利点を有している。
【００４６】
上記のごとくのディスクトレイ装置を使用して、記録再生装置を提供することができる。図８は、記録再生装置の構成例を説明するための図である。記録再生装置１００は、複数の記録媒体を適宜使い分けることができるように構成されている。例えば、図８の例では、記録再生装置１００には、ＢＤ記録再生装置１０１、ＤＶＤ記録再生装置１０２、ＨＤＤ記録再生装置１０３が備えられ、これら複数の記録媒体が選択的に使用可能となっている。また、記録再生装置１００にチューナ部を設けることで、例えば、テレビ放送されたコンテンツ等を記録媒体に記録することができる。また、複数の記録媒体間におけるデータのダビングやムーブなどの処理も実行できる。
【００４７】
記録再生装置１００には、ディスクタイプの記録媒体をセットするためのディスクトレイ装置が設けられ、例えば、図８の例では、ＤＶＤ用のディスクトレイ装置と、ＢＤ用のディスクトレイ装置が個々に設けられ、ユーザはそれぞれのディスクトレイ装置を利用して、該当する各記録媒体を記録再生装置内に搬送させることができるようになっている。これらディスクトレイ装置に上記の実施形態のごとくのディスクトレイ装置を適用することにより、トレイの進退動作時にトレイの不要な振動が生じることなく、安定したトレイの動作が実現される記録再生装置を得ることができる。
【図面の簡単な説明】
【００４８】
【図１】本発明のディスクトレイ装置の構成例を示す斜視概略図である。
【図２】光ディスクのカートリッジをトレイに装着してローディングしたときの状態を示す図である。
【図３】トレイのローディング動作の途中で光ディスクのチャッキングが行われていない状態を示す側面概略図。
【図４】トレイのローディングが完了して光ディスクがチャッキングされている状態を示す側面概略図である。
【図５】シフターの動作について説明するための概略構成図である。
【図６】トレイの背面側の概略構成を示す図である。
【図７】トレイのシフターガイド用溝部とシフターの突起部との関係を、模式的に説明するための要部拡大概略図である。
【図８】記録再生装置の構成例を説明するための図である。
【符号の説明】
【００４９】
１…ベースシャーシ、２…ターンテーブル、３…スピンドルモータ、４…光ピックアップ、５…シャッター開閉機構、６…トラバースシャーシ、６ａ…突起部、７…カートリッジステイ、８…シフター、８ａ…突起部、８ｂ…爪部、８ｃ…溝部、８ｄ…突起部、９…弾性部材、１０…トレイ、１０ａ…ガイド用溝部、１０ｂ…ギア部、１０ｃ…凸部、１１…第１の押さえレバー、１１ａ，１２ａ…ベアディスク押さえ爪部、１１ｂ，１２ｂ…回動軸、１１ｃ，１２ｃ…カートリッジディスク押さえ部、１１ｄ…ベアディスク保持部、１１ｅ…突起部、１２…第２の押さえレバー、１３…ディスクホルダー、１３ａ…ホルダー回動軸、１４…トレイカム部、１５…カートリッジステイ用貫通孔、３０…クランパー、３１…クランパーレバー、３２…クランパープレート、３３…クランパーレバー支持軸、４０…カートリッジ、４１…光ディスク、１００…記録再生装置、１０１…ＢＤ記録再生装置、１０２…ＤＶＤ記録再生装置、１０３…ＨＤＤ記録再生装置。
【図１】
2006164413.tif 000003
【図２】
2006164413.tif 000004
【図３】
2006164413.tif 000005
【図４】
2006164413.tif 000006
【図５】
2006164413.tif 000007
【図６】
2006164413.tif 000008
【図７】
2006164413.tif 000009
【図８】
2006164413.tif 000010